(57)【特許請求の範囲】
【請求項１】
マグネットシートの基盤、曜日の表示用シート、日にちの表示用シート、日にちの覆い用白地シート、個別休日の表示用シートからなり、基盤には、タテ７列、ヨコ７列の升目があり、枠表示されており、曜日の表示用シートは、土日の表示用タテ長の２枚のシートと月火水木金をヨコに並べた月火水木金の表示用ヨコ長シートからなり、土日の表示用タテ長シートと月火水木金の表示用ヨコ長シートには、升目があり、枠表示がされており、日にちの表示用シートは、７枚のタテ長シートからなり、１枚目には、１，８，１５，２２，２９の数字が記載されており、２枚目には、２，９，１６，２３，３０の数字が記載されており、３枚目には、３，１０，１７，２４，３１の数字が記載されており、４枚目には、４，１１，１８，２５の数字が記載されており、５枚目には、５，１２，１９，２６の数字が記載されており、６枚目には、６，１３，２０，２７の数字が記載されており、７枚目には、７，１４，２１，２８の数字が記載されており、日にちの覆い用白地シートは、２９日、３０日、３１日がない暦のときに、その日にちを覆うために準備されており、個別休日の表示用シートは、１枚のタテ長シートからなり、升目があり、枠表示がされており、基盤の上面に、曜日の表示用シート、日にちの表示用シート、日にちの覆い用白地シート、個別休日の表示用シートを重ねて着脱できることを特徴とする万年カレンダー。
【請求項２】
日にちの表示用タテ長シートは、数字と数字の間に窓があり、窓から基盤の枠および土日の表示用タテ長シート、個別休日の表示用タテ長シートの枠が見えることを特徴とする請求項１に記載の万年カレンダー。
【請求項３】
土日の表示用タテ長シートと個別休日の表示用タテ長シートには、色付の升目があり、枠表示されており、上面に日にちの表示用タテ長シートを着脱できることを特徴とする請求項１または２に記載の万年カレンダー。
【請求項４】
個別休日の表示用タテ長シートは、曜日部が窓になっており、月火水木金の表示用ヨコ長シートおよび土日の表示用タテ長シートに重ねて曜日が表示されることを特徴とする請求項１から３のいずれかの項に記載の万年カレンダー。
【発明の詳細な説明】
【技術分野】
【０００１】  本発明は、カレンダーに必要な構成要素である年、月、日、曜日等を表示したマグネットシートを着脱する方法による万年カレンダーに関する。
【背景技術】
【０００２】  従来の、万年カレンダーに関するものは、次に列挙するような形状や構造で構成されている。
（１）３６６個の立方体の日付駒を月別にかつ日付順に仕分けした１２本の日駒柱を、１月から１２月まで表示した水平な月棒に月順に吊るし、その月棒に取り付けた曜日表示の曜日棒一本または二本を基準に各日駒柱の曜日調整し、さらにこの月棒中央上面に年駒を配置し、年数を表示し、前記日駒の平行四面の三面を日曜の赤、土曜の青、他の曜日の黒で色分けし、残り一面に個人の特異日を表示でき、一年３６６日を表示する永久に使える組み立て万年カレンダーであり、また水平の曜日棒の下に縦に四個日ないし五個日の曜日駒柱四個と三個または八個と六個を吊るし、その曜日棒の上に年駒と月駒を配置した一月（ひとつき）および二月（ふたつき）万年カレンダー。（例えば、特許文献１参照）【０００３】（２）円弧状に形成されて１週間の各曜日を表示する曜日表示窓５およびこの曜日表示窓５の下部に配置された日付表示部６を有する日付表示板２と、日付表示板２の裏側に配置されて日付表示板２に回転可能に設けられ、曜日表示窓５に重なる位置に曜日を周方向に順に記載した曜日表示板３とを備えた万年カレンダー１において、日付表示部６の各日付を１週間ごとに複数行に分けて配置し、各行を曜日表示窓５に沿って円弧状に配置したものであり、日付表示部と曜日表示窓との間の隙間が小さくなり、曜日と日付を対応させるときの視線移動距離が小さくなる。（例えば、特許文献２参照）【０００４】（３）月表示窓２の中の数字マグネットとスライド用のツマミ３を動かす事により、万年カレンダーとなり毎月ゴミも出ない。日にち表示プレートを透明の材質にして、そのプレートに白インクの白抜き文字シルク印刷し、数字が透明になり裏が透けて見えるようにする。その日にち表示プレートを本体プレート１に取り付け、裏本体にかぶせる。裏本体の色マグネットをはりつける目安の格子は、本体プレートをかぶせて表から見たとき、日にちの真裏になるようにしておき、自分の休日の日にちに赤マグネットをはり、それ以外は何もはらないでおけば、自分の休日だけが赤数字になり他は黒数字になるのでとても見やすくなる。（例えば、特許文献３参照）【０００５】（４）木や合成樹脂、軽金属等の素材で成り、４辺が等しい正四角柱を月数字、曜日、日付数字等の表示部材として採用し、まず日付表示体１は、表示部材の長手方向を縦にした４面に、上から下に順に大きな日付数字２、２ａを６段に区割りして表示される日付表示体１を７本横並びにし、次に曜日表示体３は、四角柱１本を横向きにして、左より曜日４を７区割りに順次記し、さらに月表示体５は、四角柱の３面に、１〜１２までの月数字６、６ａを順次記して４本の月表示体５を形成した各表示部材１２本を、表面側が透明板１０を有し、かつ背面にスタンドを有する収納ケースに内に、順次納めて組み合すことで月カレンダー表示する。（例えば、特許文献４参照）【０００６】（５）複数個のマジックテープ（登録商標）を、整列固着として、月札日札が任意着脱可能とした万年カレンダー。（例えば、特許文献５参照）【０００７】  しかしながら、上記のように構成された従来の万年カレンダーはカレンダーの内容を変更するのに、煩雑な操作をしなければならないこと、機械的な仕組にしなければならないこと���同じ素材を重ねることができないこと、さらに、一般的なカレンダーの形状と異なっているという欠点があった。
【先行技術文献】
【特許文献】
【０００８】
【特許文献１】  特開２０１５−０７４１７０号公報
【０００９】
【特許文献２】  特開２００５−０２４６９１号公報
【００１０】
【特許文献３】  特開平１０−２３２６０８号公報
【００１１】
【特許文献４】  特開平１０−０５２９８４号公報
【００１２】
【特許文献５】  実開昭６２−１０４２７６号公報
【発明の概要】
【発明が解決しようとしている課題】
【００１３】  本発明は、以上のような従来の欠点に鑑み、従来の万年カレンダーとは違った形状と構造で構成すると共に、素材の特性を生かした新しい方法の万年カレンダーを提供することを目的としている。
【課題を解決するための手段】
【００１４】  上記目的を達成するため、本発明はカレンダーの主な構成要素であるカレンダー名、西暦年、和暦年、月、曜日、日にち、祝日、個別休日、数字、などを表示したマグネットシートを複数個作成し、そのマグネットシートを着脱する方法による万年カレンダーである。
【発明の効果】
【００１５】  以上の説明から明らかなように、本発明にあっては、次の効果が得られる。
（１）本発明はマグネットシートを着脱するだけの方法なので簡単にカレンダーの変更が可能になり便利である。
【００１６】（２）本発明は一般的なカレンダーの形状で作成できるので利用者がどこに設置しても違和感なく安心して利用できる。
【図面の簡単な説明】
【００１７】
【図１】本発明に必要な構成要素の全体が記載された本発明の基本図である。
【図２】本発明の図１から２０１５年、平成２７年、５月のカレンダーを作成した図である。
【図３】本発明の図２から西暦年と和暦年を入れ替えたときの図である。
【図４】本発明の図２から月曜日を週の初めにしたときの図である。
【図５】本発明の図２から木曜日を個別休日としたときの図である。
【図６】本発明の図１から２０１５年、平成２７年、２月のカレンダーにしたときの図である。
【図７】本発明の図１から１００００年、和暦を平和１０年、１０月のカレンダーにしたときの図である。
【図８】本発明の図２において、基盤１の下部の白地のところに作成に使用しなかった残りの全ての構成要素を吸着させたときの図である。
【発明を実施するための形態】
【００１８】以下、本発明の実施の形態を図に基づいて説明する。
【実施例】
【００１９】図１は、本発明に必要な構成要素の全体が記載された本発明の基本図である。【００２０】図２は、本発明の図１から２０１５年、平成２７年、５月のカレンダーを作成した図である。
図２の本発明の実施の形態にする方法は、次の通りである。
本発明の図１から２〜６、８、１１〜２２、２９，３２・３３、４１・４２、４７、５６をはずし、基盤１の所定の位置に吸着させることで図２の本発明の実施の形態になる。【００２１】図３は、本発明の図２から西暦年と和暦年を入れ替えた図である。
図３の本発明の実施の形態にする方法は、次の通りである。
本発明の図２から３・４をはずし、基盤１の所定の位置に吸着させることで図３の本発明の実施の形態になる。【００２２】図４は、本発明の図２から月曜日を週の初めにしたときの図である。
図４の本発明の実施の形態にする方法は、次の通りである。
本発明の図２から６、８、１１〜２１をはずし、基盤１の所定の位置に吸着させることで図４の本発明の実施の形態になる。【００２３】図５は、本発明の図２から木曜日を個別休日としたときの図である。
図５の本発明の実施の形態にする方法は、次の通りである。
まずは、図２から１３・１４、１８をはずす。
第２は、６の上に７を吸着させる。
第３は、８の上に９を吸着させる。
第４は、１０を木曜の位置に吸着させる。
第５は、１０の日にちの位置に１８を吸着させる。
第６は、７の日にちの位置に１４を吸着させる。
最後は、９の日にちの位置に１３を吸着させることで図５の本発明の実施の形態になる。
図６は、本発明の図１から２０１５年、平成２７年、２月のカレンダーを作成したときの図である。
図６の本発明の実施の形態にする方法は、次の通りである。
本発明の図１から２〜６、８、１１〜１９、２２、２５〜２７、２９，３２〜３４、４１、４７、５６をはずし、基盤１の所定の位置に吸着させることで図６の本発明の実施の形態になる。
図７は、本発明の図１から１００００年、和暦を平和１０年、１０月のカレンダーを作成したときの図である。
図７の本発明の実施の形態にする方法は、次の通りである。
本発明の図１から２〜６、８、１１〜１９、平和と記載した２３、２８を加工して０（ゼロ）を３個作成、２９〜３１，５６〜５８をはずし、基盤１の所定の位置に吸着させることで図７の本発明の実施の形態になる。
図８は、本発明の図２において、作成に使用しなかった７、９・１０の３個を重ね、２３・２４の２個を重ね、２５〜２７の３個を重ね、２８の１個、３１・３２の２個を重ね、３４の１個、３５〜３７の３個を重ね、３８〜４０の３個を重ね、４３の１個、４４〜４６の３個を重ね、４８・４９の２個を重ね、５０〜５２の３個を重ね、５３〜５５の３個を重ね、５７・５８の２個を重ねたものを基盤１の下部の白地の位置へ吸着させたときの図である。尚、図３〜図７においても、基盤１の下部の白地のところへ作成に使用しなかった残りの全ての構成要素を同様な方法で吸着させることができる。
【産業上の利用可能性】
【００２４】  本発明は、マグネットシートに関係する製造、加工、販売をする産業で利用される。
【符号の説明】
【００２５】  １  本発明のカレンダーの基盤である。
２  万能万年カレンダーという名称の表示用のマグネットシート
３・４  西暦年や和暦年の表示用で年と記載されたマグネットシート
５  １月〜１２月の表示用で月と記載されたマグネットシート
６  日曜日の表示用で日と記載されているとともに、日と升目枠が赤色のマグネットシート
７  日曜日の表示用で日と記載されているとともに、日と升目枠が黒色のマグネットシート
８  土曜日の表示用で土と記載されているとともに、土と升目枠が青色のマグネットシート
９  土曜日の表示用で土と記載されているとともに、土と升目枠が黒色のマグネットシート
１０  個別休日の表示用で升目枠が黄色になっているとともに、片方の端の升目が黄色の窓枠になっているマグネットシート
１１  月曜日から金曜日までの表示用の月、火、水、木、金が一字ずつ升目に記載されているとともに、升目枠が黒色のマグネットシート
１２  日にちの表示用の１、８、１５、２２、２９の数字が記載されているとともに、数字と数字との間に窓枠があるマグネットシート
１３  日にちの表示用の２、９、１６、２３、３０の数字が記載されているとともに、数字と数字との間に窓枠があるマグネットシート
１４  日にち表示用の３、１０、１７、２４、３１の数字が記載されているとともに、数字と数字との間に窓枠があるマグネットシート
１５  日にち表示用の４、１１、１８、２５の数字が記載されているとともに、２５の後に白地の升目があり、数字と数字との間および数字と白地との間に窓枠があるマグネットシート
１６  日にち表示用の５、１２、１９、２６の数字が記載されているとともに、２６の後に白地の升目があり、数字と数字との間および数字と白地との間に窓枠があるマグネットシート
１７  日にち表示用の６、１３、２０、２７の数字が記載されているとともに、２７の後に白地の升目があり、数字と数字との間および数字と白地との間に窓枠があるマグネットシート
１８  日にち表示用の７、１４、２１、２８の数字が記載されているとともに、２８の後に白地の升目があり、数字と数字との間および数字と白地との間に窓枠があるマグネットシート
１９〜２１  祝日の表示用で赤色の窓枠があるマグネットシート
２２  平成と記載されたマグネットシート
２３・２４  和暦の名称の変更用に準備された白地のマグネットシート
２５〜２７  ２９日、３０日、３１日がない暦のときに、その日にちを覆うために準備された白地のマグネットシート
２８  各種の変更のために準備された白地のマグネットシート
２９〜３１  西暦年、和暦年、月の数字表示用で１と記載されたマグネットシート
３２〜３４  西暦年、和暦年、月の数字表示用で２と記載されたマグネットシート
３５〜３７  西暦年、和暦年、月の数字表示用で３と記載されたマグネットシート
３８〜４０  西暦年、和暦年、月の数字表示用で４と記載されたマグネットシート
４１〜４３  西暦年、和暦年、月の数字表示用で５と記載されたマグネットシート
４４〜４６  西暦年、和暦年、月の数字表示用で６と記載されたマグネットシート
４７〜４９  西暦年、和暦年、月の数字表示用で７と記載されたマグネットシート
５０〜５２  西暦年、和暦年、月の数字表示用で８と記載されたマグネットシート
５３〜５５  西暦年、和暦年、月の数字表示用で９と記載されたマグネットシート
５６〜５８  西暦年、和暦年、月の数字表示用で０と記載されたマグネットシート
【要約】
【課題】従来の万年カレンダーとは違った形状と構造で構成すると共に、素材の特性を生かした新しい方法の万年カレンダーを提供することを目的としている。
【解決手段】カレンダーの主な構成要素であるカレンダー名、西暦年、和暦年、月、曜日、日にち、祝日、個別休日、数字、等を表示したマグネットシートを複数個作成し、そのマグネットシートを着脱する方法による万年カレンダーである。
【選択図】図１【図１】
0005839336.tif 000002
【図２】
0005839336.tif 000003
【図３】
0005839336.tif 000004
【図４】
0005839336.tif 000005
【図５】
0005839336.tif 000006
【図６】
0005839336.tif 000007
【図７】
0005839336.tif 000008
【図８】
0005839336.tif 000009